(57)【要約】【課題】手ブレ補正方式の欠点を解消しつつ撮影を行うことのできる電子カメラを提供する。【解決手段】ブレ補正モードが設定されている場合には（Ｓ１１６）、撮像素子の全画素の撮像信号電荷を順に読み出す通常読み出しモードで撮像素子を駆動し（Ｓ１１７）、当該カメラのブレ量を検出して（Ｓ１１８）、ブレ補正し（Ｓ１１９）、撮影動作する（Ｓ１２０）。ブレ補正モードが設定されていない場合には、ブレ軽減撮影又は増感撮影モードが設定されているか否かを判断し（Ｓ１２５）、設定されている場合には、露出時間を再設定し（Ｓ１２６）、撮像素子の垂直方向及び水平方向の同色同士の画素の撮像信号電荷を加算して読み出す垂直＆水平加算読み出しモードに切り替えて、撮像素子を駆動し（Ｓ１２７）、撮影する（Ｓ１２８）。【選択図】      図３
2007013272.tif 000002
【特許請求の範囲】
【請求項１】
被写体を結像させる光学系と、
複数の画素を有し、露出することにより前記光学系により結像される画像を撮像して画像信号を生成する撮像手段と、
カメラ本体のブレを検出する手ブレ検出手段と、
この手ブレ検出手段により検出される前記カメラ本体のブレに基づき、前記撮像手段により撮像される画像のブレを補正する第１のブレ補正手段と、
前記撮像手段に前記画像信号における近隣の画素成分を加算する加算処理を実行させる第２のブレ補正手段と、
これら第１及び第２のブレ補正手段の動作を制御する制御手段と、
を備えることを特徴とする電子カメラ。
【請求項２】
前記第２のブレ補正手段を動作させるか否かを設定する設定手段を更に備え、
前記制御手段は、前記設定手段により前記第１のブレ補正手段の動作が設定されていない場合において、前記第２のブレ補正手段を動作させることを特徴とする請求項１記載の電子カメラ。
【請求項３】
前記第２のブレ補正手段を動作させるか否かを設定する設定手段を更に備え、
前記制御手段は、前記設定手段の設定に従って、前記第２のブレ補正手段を動作又は停止させることを特徴とする請求項１又は２記載の電子カメラ。
【請求項４】
前記制御手段は、
前記撮像手段に前記画像信号における近隣の画素成分を加算する加算処理を実行させるべき所定の条件を満たしているか否かを判断する判断手段を含み、
この判断手段により、前記所定の条件を満たしていると判断された場合に、前記第２のブレ補正手段を動作させて前記撮像手段に前記加算処理を実行させることを特徴とする請求項１から３にいずれか記載の電子カメラ。
【請求項５】
前記制御手段は、
前記手ブレ検出手段により検出される前記カメラ本体のブレに基づき、前記撮像手段により撮像される画像のブレを補正すべき第１の条件を満たしているか否かを判断する第１の判断手段と、
前記撮像手段に前記画像信号における近隣の画素成分を加算する加算処理を実行させるべき第２の条件を満たしているか否かを判断する第２の判断手段とを含み、
これら第１及び第２の判断手段の各判断結果に従って、前記第１及び第２のブレ補正手段の動作を制御することを特徴とする請求項１記載の電子カメラ。
【請求項６】
所定のモードと他のモードとを設定するモード選択手段を更に備え、
前記制御手段は、前記モード設定手段により、前記所定のモードが設定されている場合に、前記第１及び第２の判断手段の各判断結果に従って、前記第１及び第２のブレ補正手段の動作を制御し、
その他のモードが設定されている場合には、前記第１及び／又は第２のブレ補正手段を強制的に動作させることを特徴とする請求項５記載の電子カメラ。
【請求項７】
前記第１の条件とは、
（１）前記光学系を構成する撮像レンズの焦点距離が所定値よりも大きい場合、
（２）前記撮像レンズが駆動されてマクロモード又は近接撮影モードが設定されている場合、
（３）前記手ブレ検出手段により検出されたブレ量が所定値よりも大きい場合、
の少なくとも一つの条件を含むものであり、
前記第２の条件とは、
（１）被写体の輝度を検出する検出手段により検出された被写体輝度が所定値よりも低い場合、
（２）当該カメラが有するストロボが強制的にオフ設定されている場合、
（３）測光手段により計測された測光値に基づき設定される前記撮像手段の露出時間が、所定の露出時間よりも長くなる場合、
（４）設定された前記撮像手段の露出時間内における前記被写体の移動による像移動量が、所定値又は予め算出された許容錯乱円径よりも大きいか否かを判断する判断手段により、大きいと判断された場合、
（５）ホワイトバランスを設定する設定手段により設定されたホワイトバランスから、前記被写体が暗い室内又は電灯照明下の被写体である否かを判断する判断手段により、該暗い室内又は電灯照明下の被写体であると判断された場合
の少なくとも一つの条件を含むものであることを特徴とする請求項５又は６記載の電子カメラ。
【請求項８】
前記制御手段は、前記第１のブレ補正手段と前記第２のブレ補正手段とを共に動作させることを特徴とする請求項１記載の電子カメラ。
【請求項９】
前記制御手段は、前記第１のブレ補正手段と前記第２のブレ補正手段とを共に動作させる場合において、予め前記撮像手段に設定されている露出時間を再設定する手段を含むことを特徴とする請求項８記載の電子カメラ。
【請求項１０】
前記制御手段は、前記第１のブレ補正手段を動作させるとともに、所定の撮影条件を満たすか否かを判断する判断手段を備え、この判断手段により所定の撮影条件を満たすと判断された場合に前記第１及び第２のブレ補正手段を共に動作させることを特徴する請求項１記載の電子カメラ。
【請求項１１】
前記撮像手段により前記加算処理が実行された場合において、前記画像信号の画素を補間する画素補間処理を行って画像サイズを補正する画像サイズ補正手段を更に備えることを特徴とする請求項１から１０にいずれか記載の電子カメラ。
【請求項１２】
前記撮像手段により生成された画像信号を記録する記録手段と、
この記録手段に記録される前記画像信号の画像サイズを指定する指定手段とを更に備え、
前記画像サイズ補正手段は、前記加算処理が実行された画像信号の画像サイズが前記指定手段により指定された画像サイズよりも小さくなる場合に、前記画素補間処理を実行することを特徴とする請求項１１記載の電子カメラ。
【請求項１３】
被写体を結像させる光学系と、複数の画素を有し、露出することにより前記光学系により結像される画像を撮像して画像信号を生成する撮像手段と、カメラ本体のブレを検出する手ブレ検出手段と、この手ブレ検出手段により検出される前記カメラ本体のブレに基づき、前記撮像手段により撮像される画像のブレを補正する第１のブレ補正手段とを備える電子カメラが有するコンピュータを、
前記撮像手段に前記画像信号における近隣の画素成分を加算する加算処理を実行させる第２のブレ補正手段と、
前記第１及び第２のブレ補正手段の動作を制御する制御手段と、
を備えることを特徴とする電子カメラ。
【発明の詳細な説明】
【技術分野】
【０００１】
本発明は、被写体を撮像して記録する電子カメラ及び電子カメラ制御プログラムに関する。
【背景技術】
【０００２】
従来、カメラに採用される光学式手ブレ補正方式としては、カメラ本体の角速度等のブレを検出して、補正用シフトレンズを光軸と垂直の上下左右方向に偏心移動させる方式（特許文献１参照）、あるいはＣＣＤや撮像面側を上下左右方向にシフトさせる方式（特許文献２参照）等が知られている。
【０００３】
このように、光学式手ブレ補正方式の場合、補正用シフトレンズやＣＣＤをアクチュエータ等により上下左右方向に駆動することから、常時動作させると対象を駆動することよる消費電力が大きく、電池の寿命を低下させる要因となる。したがって、手ブレ補正動作をオン・オフするスイッチやモード設定キーを設け、ユーザによりオンが設定されている場合にのみ、光学式手ブレ補正動作を行わせるようにする。
【特許文献１】特開昭６２−５７０１２号公報
【特許文献２】特開昭６０−１４３３３０号公報
【発明の開示】
【発明が解決しようとする課題】
【０００４】
しかしながら、光学式手ブレ補正方式の場合、前述のように、電池寿命を考慮してオン・オフ機能が設けられていることから、手ブレ補正がオフ状態となっているのにも拘わらず、オン状態となっているものと誤認して撮影を行い、その結果、手ブレのある画像を撮影してしまう場合が生ずる。また、カメラ自体のブレに起因する像ブレは補正できるものの、動く被写体（動体ブレ）に起因する像ブレを補正することはできない。
【０００５】
また、検出した手ブレに応じて撮影後に読み出す有効画素領域を移動させることにより、手ブレを補正する電子式手ブレ補正方式もあるが、同様に、カメラ自体のブレに起因する像ブレは補正できるものの、動く被写体（動体ブレ）に起因する像ブレを補正することはできない。
【０００６】
本発明は、かかる従来の課題に鑑みてなされたものであり、手ブレ補正方式の欠点を解消しつつ撮影を行うことのできる電子カメラ及び電子カメラ制御プログラムを提供することを目的とする。
【課題を解決するための手段】
【０００７】
前記課題を解決するために請求項１記載の発明に係る電子カメラは、被写体を結像させる光学系と、複数の画素を有し、露出することにより前記光学系により結像される画像を撮像して画像信号を生成する撮像手段と、カメラ本体のブレを検出する手ブレ検出手段と、この手ブレ検出手段により検出される前記カメラ本体のブレに基づき、前記撮像手段により撮像される画像のブレを補正する第１のブレ補正手段と、前記撮像手段に前記画像信号における近隣の画素成分を加算する加算処理を実行させる第２のブレ補正手段と、これら第１及び第２のブレ補正手段の動作を制御する制御手段とを備える。
【０００８】
したがって、第２のブレ補正手段が動作して、撮像手段が画像信号における近隣の画素成分を加算する加算処理を実行することにより、画素加算処理により増感処理されることから、これに伴って撮像手段の露出時間（露光時間）を短くすることができる。よって、この露光時間が短くなることにより、手ブレや被写体ブレを軽減したブレ軽減撮影が可能となる。したがって、第１のブレ補正手段が停止している場合や動く被写体（動体ブレ）を撮影する場合であっても、これに起因する像ブレを補正しつつ撮影を行うことができる。
【０００９】
また、前記画素加算処理が実行されると、これに伴って、画像サイズが小さくなってしまう。しかし、第１のブレ補正手段は、手ブレ検出手段により検出される前記カメラ本体のブレに基づき、前記撮像手段により撮像される画像のブレを補正する光学式又は電子式ブレ補正方式であることから、画像サイズが小さくなることはない。したがって、手ブレに対しては第２のブレ補正手段を停止させて第１のブレ補正手段を動作させることにより、必然性なく画像サイズが小さくなってしまう不都合を未然に防止することができる。
【００１０】
また、請求項２記載の発明に係る電子カメラにあっては、前記第２のブレ補正手段を動作させるか否かを設定する設定手段を更に備え、前記制御手段は、前記設定手段により前記第１のブレ補正手段の動作が設定されていない場合において、前記第２のブレ補正手段を動作させる。したがって、スイッチ操作に応じて第１のブレ補正手段が停止させているのにも拘わらず、動作状態となっているものと誤認して撮影を行っても、手ブレのある画像が撮影されてしまう場合が生ずることがない。
【００１１】
また、請求項３記載の発明に係る電子カメラにあっては、前記第２のブレ補正手段を動作させるか否かを設定する設定手段を更に備え、前記制御手段は、前記設定手段の設定に従って、前記第２のブレ補正手段を動作又は停止させる。したがって、設定手段による設定により、この光学式ブレ補正機能と電子式ブレ補正機能とを併有する電子カメラを、ユーザが任意に光学式ブレ補正機能のみを有する電子カメラとすることもできる。
【００１２】
また、請求項４記載の発明に係る電子カメラにあっては、前記制御手段は、前記撮像手段に前記画像信号における近隣の画素成分を加算する加算処理を実行させるべき所定の条件を満たしているか否かを判断する判断手段を含み、この判断手段により、前記所定の条件を満たしていると判断された場合に、前記第２のブレ補正手段を動作させて前記撮像手段に前記加算処理を実行させる。
【００１３】
つまり、前述のように画素加算処理を行うと、これに伴って撮像手段の露光時間を短くすることができ、この露光時間が短くなることにより、手ブレや被写体ブレを軽減したブレ軽減撮影が可能となる反面、画像サイズが小さくなる。しかし、前記所定の条件を満たしていないと判断された場合には、画素加算処理は実行されないことから、ブレ補正を行う必要がない条件下で撮影を行った場合において画素加算により、必然性なく画像サイズが小さくなってしまう不都合を未然に防止することができる。
【００１４】
また、請求項５記載の発明に係る電子カメラにあっては、前記制御手段は、前記手ブレ検出手段により検出される前記カメラ本体のブレに基づき、前記撮像手段により撮像される画像のブレを補正すべき第１の条件を満たしているか否かを判断する第１の判断手段と、前記撮像手段に前記画像信号における近隣の画素成分を加算する加算処理を実行させるべき第２の条件を満たしているか否かを判断する第２の判断手段とを含み、これら第１及び第２の判断手段の各判断結果に従って、前記第１及び第２のブレ補正手段の動作を制御する。したがって、手ブレが生じ易い条件では自動的に第１のブレ補正手段を操作させて手ブレ補正撮影し、手ブレだけでなく被写体ブレが生じ易い条件では、第２のブレ補正手段をも動作させて、手ブレと被写体ブレとを軽減したブレ軽減撮影が可能となる。
【００１５】
また、請求項６記載の発明に係る電子カメラにあっては、所定のモードと他のモードとを設定するモード選択手段を更に備え、前記制御手段は、前記モード設定手段により、前記所定のモードが設定されている場合に、前記第１及び第２の判断手段の各判断結果に従って、前記第１及び第２のブレ補正手段の動作を制御し、その他のモードが設定されている場合には、前記第１及び／又は第２のブレ補正手段を強制的に動作させる。したがって、所定の撮影モード（例えば自動撮影モード）が設定されている場合には、第１及び第２の判断手段の各判断結果に従って、第１及び第２のブレ補正手段の動作させ、他のモード（手ブレ補正撮影モード）が設定されている場合には、第１のブレ補正手段を強制的に動作させ、あるいは他のモード（ブレ軽減撮影モード）が設定されている場合には、第２のブレ補正手段を強制的に動作させたり、第１及び第２のブレ補正手段を共に強制的に動作させることができる。
【００１６】
また、請求項７記載の発明に係る電子カメラにあっては、前記第１の条件とは、
（１）前記光学系を構成する撮像レンズの焦点距離が所定値よりも大きい場合、
（２）前記撮像レンズが駆動されてマクロモード又は近接撮影モードが設定されている場合、
（３）前記手ブレ検出手段により検出されたブレ量が所定値よりも大きい場合、
の少なくとも一つの条件を含むものであり、
【００１７】
前記第２の条件とは、
（１）被写体の輝度を検出する検出手段により検出された被写体輝度が所定値よりも低い場合、
（２）当該カメラが有するストロボが強制的にオフ設定されている場合、
（３）測光手段により計測された測光値に基づき設定される前記撮像手段の露出時間が、所定の露出時間よりも長くなる場合、
（４）設定された前記撮像手段の露出時間内における前記被写体の移動による像移動量が、所定値又は予め算出された許容錯乱円径よりも大きいか否かを判断する判断手段により、大きいと判断された場合、
（５）ホワイトバランスを設定する設定手段により設定されたホワイトバランスから、前記被写体が暗い室内又は電灯照明下の被写体である否かを判断する判断手段により、該暗い室内又は電灯照明下の被写体であると判断された場合
の少なくとも一つの条件を含むものである。
【００１８】
つまり、第１の条件を構成する（１）〜（３）は、手ブレが生じ易い撮影条件であり、第２の条件を構成する（１）〜（５）は、被写体ブレが生じ易い撮影条件である。したがって、これら第１の条件と第２の条件とを用いることにより、確実に、手ブレが生じ易い条件では自動的に第１のブレ補正手段を操作させて手ブレ補正撮影し、手ブレだけでなく被写体ブレが生じ易い条件では、第２のブレ補正手段をも動作させて、手ブレと被写体ブレとを軽減したブレ軽減撮影が可能となる。
【００１９】
また、請求項８記載の発明に係る電子カメラにあっては、前記制御手段は、前記第１のブレ補正手段と前記第２のブレ補正手段とを共に強制的に動作させる。したがって、当該画像に対して、第１のブレ補正手段による光学式ブレ補正と第２のブレ補正手段による電子式ブレ補正とを施すことができ、これにより、確実に手ブレと被写体ブレとを軽減したブレ軽減撮影が可能となる。
【００２０】
また、請求項９記載の発明に係る電子カメラにあっては、前記制御手段は、前記第１のブレ補正手段と前記第２のブレ補正手段とを共に動作させる場合において、予め前記撮像手段に設定されている露出時間を再設定する手段を含む。つまり、前述のように、第２のブレ補正手段が動作して、撮像手段が画像信号における近隣の画素成分を加算する加算処理を実行することにより、画素加算処理により増感処理されることから、これに伴って撮像手段の露出時間（露光時間）を短くすることができ、この露光時間が短くなることにより、手ブレや被写体ブレを軽減したブレ軽減撮影が可能となる。したがって、再設定により露出時間を短くすることにより、手ブレの発生が低減するばかりでなく、動く被写体（動体ブレ）を撮影する場合であっても、これに起因する像ブレを確実に低減しつつ撮影を行うことができる。
【００２１】
また、請求項１０記載の発明に係る電子カメラにあっては、前記制御手段は、前記第１のブレ補正手段を動作させるとともに、所定の撮影条件を満たすか否かを判断する判断手段を備え、この判断手段により所定の撮影条件を満たすと判断された場合に前記第１及び第２のブレ補正手段を共に動作させる。したがって、基本的には第１のブレ補正手段を動作させて、手ブレ検出手段により検出される前記カメラ本体のブレに基づき、前記撮像手段により撮像される画像のブレを補正し、所定の撮影条件が発生した場合には、第１のブレ補正手段のみならず、第２のブレ補正手段を動作させて、画像信号における近隣の画素成分を加算する加算処理を実行させることができる。
【００２２】
また、請求項１１記載の発明に係る電子カメラにあっては、前記撮像手段により前記加算処理が実行された場合において、前記画像信号の画素を補間する画素補間処理を行って画像サイズを補正する画像サイズ補正手段を更に備える。すなわち、前述のように画素加算処理を行えば、これに伴って画像サイズは小さくなるが、画像サイズが補正されることにより、所定の画像サイズからなる画像を撮像することができる。
【００２３】
また、請求項１２記載の発明に係る電子カメラにあっては、前記撮像手段により生成された画像信号を記録する記録手段と、この記録手段に記録される前記画像信号の画像サイズを指定する指定手段とを更に備え、前記画像サイズ補正手段は、前記加算処理が実行された画像信号の画像サイズが前記指定手段により指定された画像サイズよりも小さくなる場合に、前記画素補間処理を実行する。したがって、画素加算処理により画像サイズが小さくなっても、画素補間処理が実行されることにより、予め指定した画像サイズの画像を撮像することができる。
【００２４】
また、請求項１３記載の発明に係る電子カメラ制御プログラムにあっては、被写体を結像させる光学系と、複数の画素を有し、露出することにより前記光学系により結像される画像を撮像して画像信号を生成する撮像手段と、カメラ本体のブレを検出する手ブレ検出手段と、この手ブレ検出手段により検出される前記カメラ本体のブレに基づき、前記撮像手段により撮像される画像のブレを補正する第１のブレ補正手段とを備える電子カメラが有するコンピュータを、前記撮像手段に前記画像信号における近隣の画素成分を加算する加算処理を実行させる第２のブレ補正手段と、前記第１及び第２のブレ補正手段の動作を制御する制御手段として機能させる。したがって、前記コンピュータがこのプログラムに従って処理を実行することにより、請求項１記載の発明と同様の作用効果を奏する。
【発明の効果】
【００２５】
以上説明したように本発明によれば、第２のブレ補正手段が動作して、撮像手段が画像信号における近隣の画素成分を加算する加算処理を実行することにより、画素加算処理により増感処理されることから、これに伴って撮像手段の露出時間（露光時間）を短くすることができる。よって、この露光時間が短くなることにより、手ブレや被写体ブレを軽減したブレ軽減撮影が可能となる。したがって、第１のブレ補正手段が停止している場合や動く被写体（動体ブレ）を撮影する場合であっても、これに起因する像ブレを補正しつつ撮影を行うことができる。
【００２６】
また、前記画素加算処理が実行されると、これに伴って、画像サイズが小さくなってしまうが、第１のブレ補正手段によるブレ補正によっては、画像サイズが小さくなることはない。したがって、必然性なく画像サイズが小さくなってしまう不都合を回避することを可能につつ、動く被写体（動体ブレ）を撮影する場合であっても、これに起因する像ブレを補正して撮影を行うことができる。
【発明を実施するための最良の形態】
【００２７】
以下、本発明の一実施の形態を図に従って説明する。
（第１の実施の形態）
図１は、各実施の形態に共通するデジタルカメラ１の概略的回路構成を示すブロック図である。このデジタルカメラ１は、撮影制御手段１０１を備えており、この撮影制御手段１０１は、ブレ補正制御手段１０２、ズーム制御／ＡＦ制御部１０３、露出設定手段１０４、画素加算読出切替制御手段１０５、感度／利得制御手段１０６、補間処理制御手段１０７、及び補間倍率設定手段１０８を有している。ブレ補正制御手段１０２には、ブレ検出手段１０９、補正量検出部１１０及び撮影モードの設定手段１１１からの出力が与えられ、ズーム制御／ＡＦ制御部１０３には、測距手段／合焦検出手段１１２と撮影条件の設定手段１１３からの出力が与えられる。露出設定手段１０４には、測光手段１１４からの測光信号と前記撮影条件の設定手段１１３からの出力とが与えられ、画素加算読出し切替制御手段１０５には、前記ブレ補正制御手段１０２、露出設定手段１０４、感度／利得制御手段１０６、撮影モードの設定手段１１１及び画像サイズ／印刷用紙サイズの設定手段１１５からの出力が与えられる。感度／利得制御手段１０６には、前記撮影条件の設定手段１１３からの出力が与えられ、補間処理制御手段１０７には画素加算読出切替制御手段１０５からの出力が、補間倍率設定手段１０８には補間処理制御手段１０７及び画像サイズ／印刷用紙サイズの設定手段１１５からの出力が各々与えられる。
【００２８】
一方、撮影光学系１２０の光軸上には、その前方に補正光学系１１９が配置され、その後方に絞り１２１、シャッター１２２及び撮像手段１２３が配置されている。補正光学系１１９は補正駆動部１１８により、撮影光学系１２０は光学系駆動部１２４により、絞り１２１は絞り駆動部１２５により、シャッター１２２はシャッター駆動部１２６により、撮像手段１２３はＣＣＤ駆動回路１２７により、それぞれ駆動される。ＣＣＤ駆動回路１２７は、通常読出し駆動＆走査信号と、画素加算読出し駆動＆走査信号と切り替える切替器１２８を有している。そして、補正駆動部１１８は前記ブレ補正制御手段１０２により制御され、光学系駆動部１２４はズーム制御／ＡＦ制御部１０３により制御され、絞り駆動部１２５とシャッター駆動部１２６とは、露出設定手段１０４からの信号に基づき動作し、ＣＣＤ駆動回路１２７は、画素加算読出し切替制御手段１０５により切替器１２８を制御される。
【００２９】
信号処理回路１２９は、撮像手段１２３からのアナログ信号を処理するとともにデジタル信号に変換する処理等を行う回路であり、ＣＤＳ１３０、Ａｍｐ１３１、ＡＤＣ１３２、ＷＢ（ホワイトバランス）制御部１３３、画素補間処理手段１３４、輪郭強調処理部１３５、カラー補間部１３６、γ補正部１３７、カラーマトリックス１３８、及び前記画素補間処理手段１３４と輪郭強調処理部１３５とを切り替える切替器１３９を有している。そして、信号処理回路１２９は、その全体的な動作をＣＣＤ駆動回路１２７により制御され、Ａｍｐ１３１は前記感度／利得制御手段１０５により制御され、切替器１３９は補間処理制御手段１０７により制御され、画素補間処理手段１３４は補間倍率設定手段１０８により設定される補間倍率に従って画素補間処理を実行する。また、この信号処理回路１２９からのデジタル画像データは、画像バッファメモリ１４０を介して、画像圧縮／符号化手段１４１に与えられ圧縮及び符号化された後、画像記録手段１４２に記録されるように構成されている。
【００３０】
図２は、デジタルカメラ１の具体的回路構成を示すブロック図である。図において、操作部２３は、後述するフローチャートに示す各種モードを設定するための設定キーや半押しと全押しとが可能なレリーズ釦等のキー群等で構成され、これらキー群の操作情報は、入力回路２４を介して、制御部２５に入力される。制御部２５は、ＣＰＵ及びその周辺回路と、ＣＰＵの作業用メモリであるＲＡＭ等から構成されるマイクロコンピュータであり、各部を制御する。
【００３１】
この制御部２５には、表示メモリ２６、表示駆動ブロック２７、画像バッファメモリ２８、画像信号処理部２９、圧縮符号化／伸長復号化部３０、静止画／動画画像メモリ３１、プログラムメモリ３２、データメモリ３３、メモリＩＦ３４、外部Ｉ／Ｏインターフェース３５、通信制御ブロック３６、電源制御ブロック３７及び撮影制御部３８が接続されている。表示メモリ２６には、表示部１４に表示される各種表示データが一時的に記憶される。表示駆動ブロック２７は、前記表示部１４を駆動し、画像バッファメモリ２８は、画像データを処理する際等において一時的に格納する。
【００３２】
画像信号処理部２９は、後述する撮像素子から制御部２５が取り込んだ画像信号に対する各種処理を実行するＤＳＰからなる。圧縮符号化／伸長復号化部３０は、この画像信号処理部で処理された画像データを記録時には伸長処理し、記録した画像データを再生する際には伸長復号化する。静止画／動画画像メモリ３１は、レリーズ釦の操作により撮像された画像データ（静止画像データ）を記録保存する。
【００３３】
プログラムメモリ３２には、後述するフローチャートに示す制御部２５の制御プログラムを格納しているとともに、ＡＥ、ＡＦ、ＡＷＢ制御用のプログラムや、撮影時の適正な露出値（ＥＶ）に対応する絞り値（Ｆ）とシャッター速度との組み合わせを示すプログラム線図を構成するプログラムＡＥデータ、ＥＶ値表等が格納されている。データメモリ３３は各種データが予め格納されているとともに画像データ以外の他のデータを格納する。メモリＩＦ３４は、着脱自在な外部メモリ媒体３９に接続されている。外部Ｉ／Ｏインターフェース３５は、ＵＳＢコネクタ４０に接続され、通信制御ブロック３６は無線ＬＡＮ等送受信部４１を介してアンテナ４２に接続され、電源制御ブロック３７には、電池４３が接続されている。電池４３からの電力は電源制御ブロック３７及び制御部２５を介して各部に供給される。
【００３４】
前記撮影制御部３８には、前記ストロボ６の照射角を駆動する照射各駆動部４４、照射を駆動するストロボ照明駆動部４５とが接続されているとともに、測光、測距センサ４６の受光角を駆動する受光角駆動部４７、測光、測距センサ４６から色温度を検出して出力する色温度検出部４８、測光データを検出して出力する測光部４９及び測距データを検出して出力する測距部５０が接続されている。さらに前記撮影制御部３８には、垂直方向の角速度を検出する第１角速度センサ１６と水平方向の角加速度を検出する第２角速度センサ１７が各々角速度検出部５１、５２、積分器５３、５４を介して接続されている。
【００３５】
一方、ズームレンズユニット５５には、前記回動式ミラー１８、レンズ群１９及びＣＣＤ等で構成される撮像素子２０が配置されているとともに、この回動式ミラー１８を回転駆動する駆動機構５６、前記レンズ群１９中に介挿された絞り５７が設けられており、また、撮像素子２０の前面にはシャッター５８が配置されている。
【００３６】
前記撮影制御部３８には、電動ミラーＹ方向駆動部５９、電動ミラーＸ方向駆動部６０、フォーカスレンズ駆動部６１、ズームレンズ駆動部６２、絞り駆動部６３、シャッター駆動部６４、映像信号処理部６５及びタイミング制御＆ドライバ６６が接続されている。電動ミラーＹ方向駆動部５９は、駆動機構５６を駆動して回動式ミラー１８を上下方向に回動させるものであり、電動ミラーＸ方向駆動部６０は左右方向に回動させるものである。つまり、本実施の形態に係るデジタルカメラ１は、角速度検出部５１、５２及び積分器５３、５４を介して、第１及び第２の角速度センサ１６、１７から入力される垂直方向及び水平方向の角速度に基づき、回動式ミラー１８を回動することにより、撮影光軸を一定に保持するように制御する光学式ブレ補正機能を有している。
【００３７】
フォーカスレンズ駆動部６１は、レンズ群１９中のフォーカスレンズを駆動するものであり、ズームレンズ駆動部６２は、ズーム操作キー９の操作に応じて被写体像を拡大又は縮小すべくレンズ群１９中のズームレンズを駆動するものである。また、絞り駆動部６３は前記絞り５７を駆動するものであり、シャッター駆動部６４は前記シャッター５８を駆動するものである。前記映像信号処理部６５は、撮像素子２０からのアナログ信号をデジタル信号に変換するＡ／Ｄ回路及びこのＡ／Ｄ回路からのデジタル撮像信号を保持するＣＤＳと、ＣＤＳから撮像信号を供給されるアナログアンプであるゲイン調整アンプ（ＡＧＣ）等からなる。
【００３８】
図３は、本実施の形態の処理手順を示すフローチャートである。制御部２５はプログラムメモリ３２に格納されているプログラムに基づき、このフローチャートに示すような処理を実行する。先ず、ユーザーによる操作部２３での操作により、撮影モードが設定されているか否かを判断する（ステップＳ１０１）。撮影モードが設定されていない場合には、設定モード（撮影設定モード）が設定されたか否かを判断し（ステップＳ１０２）、撮影モードと設定モードの何れも設定されていない場合には、その他のモード処理に移行する（ステップＳ１０３）。
【００３９】
また、撮影設定モードが設定された場合には、自動切換えの設定が選択されたか否かを判断する（ステップＳ１０４）。すなわち、図４に示すように、操作部２３でＭＥＮＵキー及びカーソルキー（△▽）を操作して「撮影設定」モードを選択すると（ステップＳ１０２；ＹＥＳ）、表示部１４に同図（ａ−１）に示すような撮影設定メニュー画面を表示する。このメニュー画面において、「ブレ軽減撮影」を選択すると、前記自動切換えの設定が選択されたことになり、前記ステップＳ１０４がＹＥＳとなって、同図（ａ−２）に示すブレ軽減撮影の設定メニューに移行する。
【００４０】
そして、自動切換えの設定が選択された場合には、ユーザーによる操作部２３での操作に応じ、オート撮影モードにおいて、ブレ軽減撮影に自動切り換えするか否か（ＯＮ／ＯＦＦ）の設定を行う（ステップＳ１０５）。つまり、図４（ａ−２）のブレ軽減撮影の設定メニューには、「ブレ軽減」に対して「ＯＮ」「ＯＦＦ」が他の選択肢とともに表示されている。そして、この選択肢の中から「ＯＮ」が選択されれば自動切り換えＯＮが設定され、「ＯＦＦ」が選択されれば自動切り換えＯＦＦが設定される。
【００４１】
また、ステップＳ１０４で自動切換えの設定が選択されていないと判断された場合には、切換え条件の設定が選択されたか否かを判断する（ステップＳ１０６）。切換え条件の設定が選択された場合には、ユーザーの操作に応じて、ブレ軽減撮影に自動切換えする撮影条件等を選択して設定する（ステップＳ１０７）。
【００４２】
すなわち、ステップＳ１０４で自動切換えの設定が選択されていないと判断された場合には、図４（ｂ−１）に示す撮影設定メニューが表示部１４に表示されている。このメニュー画面から「ブレ軽減撮影のカスタム設定」を選択すると、切換え条件の設定が選択されことになり、ステップＳ１０６がＹＥＳとなって、同図（ｂ−２）のブレ軽減撮影のカスタム設定メニューの表示に移行する。このメニュー画面において、「画素加算切替条件の設定」を選択すると、同図（ｂ−３）のブレ軽減撮影への切り換え条件の設定メニュー画面に遷移する。
【００４３】
このブレ軽減撮影への切り換え条件の設定メニュー画面は、「撮影シーンに応じて」「露出時間時応じて」「被写体の輝度に応じて」「被写体の速度に応じて」「焦点距離に応じて」「マクロ撮影の場合」等の選択肢で構成されている。そして、この選択肢からいずれかを選択すると、例えば「撮影シーンに応じて」を選択すると、同図（ｂ−４）の撮影シーンに応じた切り替え設定画面に遷移する。この状態で、「ＯＦＦ」「オート」・・・等の撮影条件に応じた切り換え条件を選択することにより、前記ステップＳ１０７の処理が実行されて、ブレ軽減撮影に自動切換えする撮影条件等を選択して設定されることとなる。
【００４４】
なお、ステップＳ１０６で切換え条件の設定が選択されていないと判断された場合には、その他の設定処理を実行する（ステップＳ１０８）。
【００４５】
一方、撮影モードが設定されている場合には、ユーザーによる操作部２３での操作により入力された撮影条件、オート撮影モード、マニュアル撮影モード、各撮影モードにおけるシャッター速度等の各種撮影条件、後述するブレ補正モード、ブレ軽減撮影又は増感撮影モード等の撮影条件を設定するとともに、ユーザーによる操作部２３での操作に基づく画像サイズを選択する（ステップＳ１０９）。また、ズーム処理、ＡＦ処理を実行し（ステップＳ１１０）、被写体像のスルー画像を表示部１４に表示させる（ステップＳ１１１）。したがって、ユーザはこの表示部１４に表示されたスルー画像を見ながら、このデジタルカメラ１の向きを調整する等してシャッターチャンスを伺う。
【００４６】
一方、制御部２５は、レリーズ釦が押されて撮影指示がなされたか否かを判断し（ステップＳ１１２）、押されない場合には、ユーザーにより操作部２３で操作されたキーに応じたその他のキー処理を実行する（ステップＳ１１３）。そして、レリーズ釦が押されて撮影指示があると、測光処理、ＷＢ処理を行って（ステップＳ１１４）、これにより得られた測光値と前記ステップＳ１０９で設定された撮影条件とに応じて、露出条件を設定する（ステップＳ１１５）。
【００４７】
次に、ブレ補正モードが設定されているか否かを判断し（ステップＳ１１６）、設定されている場合には、撮像素子２０の全画素の撮像信号電荷を順に読み出す通常読み出しモードで撮像素子２０を駆動する（ステップＳ１１７）。また、両加速度センサ１６、１７により検出されている当該デジタルカメラ１の垂直方向及び水平方向のブレ量を検出して、データメモリ３３に順次記録する（ステップＳ１１８）。また、この検出したブレ量に応じて、前記回動式ミラー１８を回動することにより、撮影光軸を一定に保持するブレ補正処理を実行する（ステップＳ１１９）。またこれらの処理を伴いつつ、撮影条件に応じて露出／撮影動作を開始し（ステップＳ１２０）、このステップＳ１２０での処理により、シャッター５８が開いて撮像素子２０が露出状態となる。
【００４８】
引き続き、シャッター速度に応じた露出時間が終了したか否かを判断する（ステップＳ１２１）。露出時間が終了となるまでステップＳ１１８からの処理を繰り返し、露出時間が終了となった時点でシャッター５８を閉じ露出／撮影動作を停止させる（ステップＳ１２２）。しかる後に、この撮影により取得した取得画像サイズが前記ステップＳ１０９で選択された画像サイズよりも大きいか否かを判断する（ステップＳ１２３）。「取得画像サイズ＞設定画像サイズ」であって、取得画像サイズが設定画像サイズよりも大きい場合には、間引きあるいはリサイズ圧縮処理を実行する（ステップＳ１２４）。
【００４９】
一方、前記ステップＳ１１６での判断の結果、ブレ補正モードが設定されていない場合には、ステップＳ１１６からステップＳ１２５に進む。そして、前記ステップＳ１０９での処理により、ブレ軽減撮影又は増感撮影モードが設定されているか否かを判断する（ステップＳ１２５）。設定されている場合には、前記ステップＳ１１４の測光処理で得られている測光値と、ステップＳ１０９で設定された撮影条件とに応じて、撮像素子２０の画素加算倍率を算出するとともに、露出時間を再設定する（ステップＳ１２６）。
【００５０】
次に、撮像素子２０の垂直方向及び水平方向の同色同士の画素の撮像信号電荷を加算して読み出す垂直＆水平加算読み出しモードに切り替えて、撮像素子２０を駆動する（ステップＳ１２７）。これと同時に、撮影条件に応じて露出／撮影動作を開始し（ステップＳ１２８）、このステップＳ１２８での処理により、シャッター５８が開いて撮像素子２０が露出状態となる。引き続き、シャッター速度に応じた露出時間が終了したか否かを判断し（ステップＳ１２９）、露出時間が終了となるまで、露出／撮影動作（ステップＳ１２８）を継続する。
【００５１】
ここで、垂直＆水平加算読み出しモードにおいて露出／撮影動作が行われることにより、撮像素子２０において、同じ列の互いに離れた同色の画素の信号電荷を垂直転送ＣＣＤから水平転送ＣＣＤに移すときに混合加算するとともに、同じ行の互いに離れた同色フィルターの画素の信号電荷を水平転送ＣＣＤ内で加算して読み出す。したがって、複数行分の信号を一度に出力できるのでフレームレート速度を速くでき、垂直＆水平の加算数に応じて高速フレームレートで高解像度の動画撮影を行い得る。これを静止画撮影に応用すると、垂直２画素及び水平２画素の４画素加算読み出しにより、画素数は垂直１／２×水平１／２＝１／４の画素となるが、必要な露光量も約１／４で適正露出に相当する撮影画像を得ることができるので、約４倍に増感して撮影できることになる。すなわち、同一条件の被写体で適正露出を得るに必要な露出時間を略１／４に短縮できるので、手ブレや被写体ブレによる像ブレの発生を軽減して撮影することができる。
【００５２】
そして、ステップＳ１２９の判断がＹＥＳとなり、露出時間が終了となった時点でシャッター５８を閉じ露出／撮影動作を停止させる（ステップＳ１３０）。しかる後に、この撮影により取得した取得画像サイズが前記ステップＳ１０９で選択された画像サイズよりも小さいか否かを判断する（ステップＳ１３１）。「取得画像サイズ＜設定画像サイズ」であって、取得画像サイズが設定画像サイズよりも小さい場合には、画素補間処理を実行し（ステップＳ１３２）、そうでない場合には前記ステップＳ１２３に進む。
【００５３】
また、ステップＳ１２５での判断の結果、ブレ軽減撮影又は増感撮影モードが設定されていない場合には、このステップＳ１２５からステップＳ１３３に進む。そして、オート撮影モードが設定されているか否かを判断し（ステップＳ１３３）、設定されていない場合にはその他の撮影モードに移行する（ステップＳ１３４）。また、設定されている場合には自動切り換えＯＮか否かを判断する（ステップＳ１３４）。すなわち、前記ステップＳ１０５での処理により、「オート撮影モードでブレ軽減撮影に自動切換えする」が「ＯＮ」となっているか否かを判断する。そして、「ＯＦＦ」となっている場合には、ステップＳ１３６の処理を実行することなくステップＳ１３７に進む。「ＯＮ」となっている場合には、設定された所定の撮影条件か否かを判断する（ステップＳ１３６）。つまり、前記ステップＳ１０７でユーザーにより設定されたブレ軽減撮影に自動切換えする撮影条件であるか否かを判断する。
【００５４】
そして、ユーザーにより設定されたブレ軽減撮影に自動切換えする撮影条件ある場合には、このステップＳ１３６から前記ステップＳ１２６に進む。しかし、ユーザーにより設定されたブレ軽減撮影に自動切換えする撮影条件でない場合、及び前記ステップＳ１２５がＮＯであって自動切換えがＯＦＦとなっている場合には、撮像素子２０の全画素の撮像信号電荷を順に読み出す通常読み出しモードで撮像素子２０を駆動する（ステップＳ１３７）。これと同時に、撮影条件に応じて露出／撮影動作を開始し（ステップＳ１３８）、このステップＳ１３８での処理により、シャッター５８が開いて撮像素子２０が露出状態となる。引き続き、シャッター速度に応じた露出時間が終了したか否かを判断し（ステップＳ１３９）、露出時間が終了となった時点で露出／撮影動作を停止させてシャッター５８を閉じ（ステップＳ１４０）、しかる後に、前記ステップＳ１２３に進む。
【００５５】
そして、前記ステップＳ１２３、ステップＳ１２４及びステップＳ１３２のいずれかに続くステップＳ１４１では、撮影画像を圧縮、符号化し、この圧縮、符号化した撮影画像を外部メモリ媒体３９に記録する（ステップＳ１４２）。さらに、撮影画像を表示部１４にレビュー表示する（ステップＳ１４３）。
【００５６】
したがって、ブレ補正モードが設定されている場合には光学式手ブレ補正により手ブレ補正され、ブレ補正モードが設定されていない場合には、ブレ軽減撮影又は増感撮影モードが設定されている場合は無論のこと、オート撮影モードが設定されている場合にも、手ブレや被写体ブレによる像ブレが生じやすい所定の撮影条件の場合には、画素加算読み出し処理によるブレ軽減の為の増感撮影モードに切り替えて撮影し、垂直加算数×水平加算数に応じて、増感効果により必要な露出時間を短くできる。よって、手ブレによる像ブレだけでなく、被写体の動きによる像ブレ（動体ブレ）を軽減して撮影できるので、子供やペットの撮影、スポーツシーンの撮影など、被写体ブレが生じやすい撮影に有効となる。
【００５７】
図５は、前記ステップＳ１１７とステップＳ１３７で実行される通常読み出しモードと、ステップＳ１２７で実行される垂直＆水平加算読み出しモードの動作例を示す図である。同図において（ａ）は、前記通常読み出しモードとして実行される全画素読み出しモードであって、数分の１秒と低速だが、全画素を高解像度で読み出す。（ｂ）フレーム読み出しモード、（ｃ）高速ドラフトモード、（ｄ）４／１６ライン読み出し＆垂直画素加算モード、（ｅ）４／１８ライン読み出し＆水平画素加算モードは、ステップＳ１２７で実行される垂直＆水平加算読み出しモードの動作例であり、（ｃ）高速ドラフトモードは、８ライン中の２ラインのみ読み出し、１／３０など高速で全エリアを走査する。
【００５８】
垂直方向の画素加算読み出し動作については、例えば特開平９−５５９５２号公報に記載されているような、垂直２画素周期の繰り返し配置の色フィルタを有し、垂直加算読み出しを可能とした固体撮像装置における垂直方向の画素加算読み出しによって、垂直方向に２画素離れた同色の信号電荷を垂直転送レジスタ内で加算した信号を得ることができる。同様に、水平方向の画素加算読み出しについても、特開平１１−２３４５６９号公報、特開平１１−２３４６８８号公報、特開２０００−１１５６４３号公報等に記載された撮像装置における水平読み出し動作と同様に、水平方向の同一行の互いに異なる列の同色フィルタの画素同士を水平転送ＣＣＤ上で加算して読み出すことで行える。垂直方向と水平方向の画素加算を組み合わせて、例えば、垂直２画素加算×水平２画素加算＝４画素加算読み出し、垂直３画素加算×水平３画素加算＝９画素加算読み出し、・・・など加算数を変えて行うこともできる。
【００５９】
次に、水平方向の画素加算読み出し動作について、特開２０００−１１５６４３号公報に記載された固体撮像素子を例に、以下に概略を説明する。図６（ａ）に、通常読み出しモードでの駆動信号のタイムチャートを、同図（ｂ）に水平加算読み出しモードでの駆動信号のタイムチャートを、図７に水平画素加算読み出し時の信号電荷の状態の動作例を、それぞれ示す。この固体撮像素子では、垂直レジスタと水平レジスタとの間の転送ゲート部を有し、この転送ゲート部において、第１相及び第２相の転送電荷が、垂直レジスタの一定の列毎に互い違いに配置され、垂直レジスタの転送電極及び転送ゲート部の転送電極が２層構造で形成され、垂直レジスタの一定の列単位毎に別々に信号電荷を水平レジスタへ転送することができるので、この間水平レジスタ動作させて別々に転送した信号電荷を水平レジスタ内で混合することができる。
【００６０】
また、垂直レジスタ内での転送数が垂直レジスタ列に関して周期的に異なるように電荷転送を行い、同一行の互いに離れた同色の画素の信号電荷を順番に垂直レジスタから水平レジスタへ転送し、先に水平レジスタへ転送した画素の信号電荷を水平レジスタ内で転送した後、後から水平レジスタへ転送した同色の画素の信号電荷と加算する。同じ行の互いに離れた同色の画素の信号電荷を水平レジスタ内で加算できる。
【００６１】
通常読み出し動作では、垂直ＣＣＤレジスタの入力端子ｔＶ１〜ｔＶ４には、図６（ａ）に示すような４相駆動パルスφＶ１〜φＶ４を印加し、入力端子ｔＶ′１〜ｔＶ′４には、別の４相駆動パルスφＶ′１〜φＶ′４を印加する。駆動パルスφＶ′１〜φＶ′４を印加する電極群は、駆動パルスφＶ１〜φＶ４を印加する電極群に比べ２倍の回数の転送を行う。
【００６２】
したがって、駆動パルスφＶ１〜φＶ４を印加する電極群から駆動パルスφＶ′１〜φＶ′４を印加する電極群への信号電荷が順次送られるのに対し、駆動パルスφＶ′１〜φＶ′４を印加する電極群では信号電荷のパケットと空パケットが存在するように信号電荷が水平ＣＣＤレジスタ方向に転送されることとなる。
【００６３】
今、第２の転送期間Ｔ３を経て駆動パルスφＶ１〜φＶ４を印加する電極群から駆動パルスφＶ′１〜φＶ′４を印加する電極群へｊ行目の電荷が転送されたとする。一方、駆動パルスφＶ１〜φＶ４を印加する電極群は、第２の転送期間Ｔ３の他に第１の転送期間Ｔ２があるため、水平ＣＣＤレジスタ［１］、［２］と垂直ＣＣＤレジスタ［３］、［４］のパケット数の違いは吸収され、水平走査期間Ｔ１に蓄積されたｊ行目の信号電荷を水平ＣＣＤレジスタに転送することができる。
【００６４】
すなわち、水平ブランキング期間ＨＢＬＫの第１転送期間Ｔ２において、垂直ＣＣＤレジスタ［１］、［２］におけるｊ番目の信号電荷が水平ＣＣＤレジスタに転送され、垂直ＣＣＤレジスタ［３］、［４］におけるｊ行目の信号電荷が水平ＣＣＤレジスタの最終段へと１パケット分垂直転送される。次いで、第２の転送期間Ｔ３において、垂直ＣＣＤレジスタ［３］、［４］のＪ番目の信号電荷が水平ＣＣＤレジスタへ転送されるとともに、垂直ＣＣＤレジスタ［１］、［２］、［３］、［４］のｊ−１行目の信号電荷が垂直ＣＣＤレジスタへ転送されることとなる。したがって、通常読み出し動作では、１行目の信号電荷が順次出力されることとなる。
【００６５】
水平画素加算動作では、垂直ＣＣＤレジスタの入力端子ｔＶ１〜ｔＶ４に、図６（ｂ）に示すような４相駆動パルスφＶ１〜φＶ４を印加し、入力端子ｔＶ′１〜ｔＶ′４に、４相駆動パルスφＶ′１〜φＶ′４を印加する。また、垂直ＣＣＤレジスタには、２相駆動パルスφＨ１及びφＨ２を印加する。
【００６６】
図７の信号電荷の状態と図６（ｂ）の駆動パルスとを対応して説明すると、
１）先ず、図６（ｂ）の水平走査期間Ｔ１の終了時が図７（Ａ）に相当する。
２）次に、図７（Ｂ）に示すように、水平ブランキング期間ＨＢＬＫのうちの第１の期間Ｔ２において、垂直ＣＣＤレジスタ［１］、［２］の信号電荷が水平ＣＣＤレジスタへ転送されるとともに、垂直ＣＣＤレジスタ［３］、［４］の信号電荷が垂直ＣＣＤレジスタへの最終段へ垂直転送される。
３）次に、図７（Ｃ）に示すように、第２の期間Ｔ２において、水平ＣＣＤレジスタで２パケット分の転送が行われ、同一行の２画素列方向に離れた信号電荷同士が同一列に移動される。
４）次に、図７（Ｄ）に示すように、第３の期間Ｔ４において、垂直転送により垂直ＣＣＤレジスタ［３］、［４］の最終段の信号電荷が水平ＣＣＤレジスタへ転送され、先に水平ＣＣＤレジスタに転送された垂直ＣＣＤレジスタ［１］、［２］の信号に加算される。すなわち、水平ＣＣＤレジスタ内で同一行の２画素だけ列方向に離れた信号電荷同士が加算される。同時に、水平ＣＣＤレジスタの空パケットに垂直ＣＣＤレジスタ［１］、［２］から次の行の信号電荷が転送される。
５）さらに、図７（Ｅ）に示すように、第４の期間Ｔ５において、水平ＣＣＤレジスタ内で２パケット分の転送が行われ、前記次の行の２画素列方向に離れた信号電荷同士が同一列に移動される。
６）次いで、図７（Ｆ）に示すように、第５の期間Ｔ６において、垂直転送により垂直ＣＣＤレジスタ［１］、［２］の信号電荷に加算される。
【００６７】
すなわち、水平ＣＣＤレジスタ内で前記次の行の２画素だけ列方向に離れた信号電荷同士が加算される。この結果、水平ＣＣＤレジスタに水平方向に２画素加算された信号電荷が２行分、蓄積されることとなる。したがって、水平走査期間Ｔ１において、水平ＣＣＤレジスタを２相駆動し、水平走査を１回行うことで、２桁分の信号がＣＣＤ固体撮像素子の出力端より出力される。このような、カラーＣＣＤ固体撮像素子に水平２画素周期の色フィルタを用いるときは、各々の行の画素の偶数列同士、奇数列同士が同一色になるので、混合しても混色が発生しない。また、水平方向に２画素離れた信号電荷同士を加算混合することで、水平方向のデータレートを１／２に削減できる。これにより高速に動作を行うことができる。また、画像領域の画素全体の信号に対し混合を行うため、水平方向のデータ数を１／２にしても画角は変わらない。
【００６８】
以上、水平方向Ｎ２画素加算について説明したが、水平２画素以上の加算についても可能である。また、前述の垂直方向の画素加算読み出し動作と組み合わせることにより、垂直２画素×水平２画素加算＝４画素加算読み出しなど、垂直方向と水平方向の加算数をともに切り替えて各種加算倍率の読み出し走査が行える。勿論、前記特開２０００−１１５６４３号公報記載の固体撮像素子とは、転送路や転送ゲート電極の構成などが異なる構成の撮像素子を用いて、垂直＆水平画素加算読み出しができるようにしても構わない。
【００６９】
（第２の実施の形態）
【００７０】
図８は、本発明の第２の実施の形態における処理手順を示すフローチャートである。この実施の形態は、手ブレ補正装置を備えたカメラにおいて、「自動撮影モード」と、手ブレ補正装置による「手ブレ補正撮影モード」と、画素加算により増感処理する「ブレ軽減撮影モード」とを選択して切り替えられるようにするとともに、自動撮影モードなどの撮影モードにおいて、手ブレによる像ブレが生じ易い撮影条件である場合には、自動的に「手ブレ補正モード」に切り替え、手ブレだけでなく、被写体の動きによる像ブレも生じ易い撮影条件である場合には、画素加算により増感処理する「ブレ軽減撮影モード」に自動的に切り替えられるようにしたものである。
【００７１】
先ず、ユーザーによる操作部２３での操作により、撮影モードが設定されているか否かを判断する（ステップＳ２０１）。撮影モードが設定されていない場合には、その他のモード処理に移行する（ステップＳ２０２）。また、撮影モードが設定されている場合には、シャッター速度等の撮影条件を設定するとともに、ユーザーによる操作部２３での操作に応じて、用紙サイズ又は画像サイズを選択する（ステップＳ２０３）。次に、ズーム処理、ＡＦ処理を実行し（ステップＳ２０４）、ドラフトモードで駆動して被写体像のスルー画像を表示部１４に表示させる（ステップＳ２０５）。したがって、ユーザはこの表示部１４に表示されたスルー画像を見ながら、このデジタルカメラ１の向きを調整する等してシャッターチャンスを伺う。
【００７２】
一方、制御部２５は、ユーザーによる操作部２３での操作により、レリーズ釦の半押し、又はＡＥロックがなされたか否かを判断し（ステップＳ２０６）、レリーズ釦の半押し、又はＡＥロックがなされない場合には、ユーザーにより操作部２３で操作されたキーに応じたその他のキー処理を実行する（ステップＳ２０７）。そして、レリーズ釦が半押しされ、又はＡＥロックがなされると、測光処理、ＷＢ処理を行って（ステップＳ２０８）、これにより得られた測光値と前記ステップＳ２０３で設定された撮影条件とに応じて、露出条件を設定する（ステップＳ２０９）。
【００７３】
引き続き、撮像素子２０から所定のタイミングで出力される連続撮像信号から被写体の移動ベクトルを検出し、該被写体の移動角度を算出する（ステップＳ２１０）。また、両加速度センサ１６、１７により検出されている当該デジタルカメラ１の垂直方向及び水平方向のブレ量を検出して、データメモリ３３に順次記録する（ステップＳ２１１）。また、レリーズ釦が全押されて撮影指示がなされたか否かを判断し（ステップＳ２１２）、撮影指示があるまでステップＳ２０６からの処理を繰り返す。
【００７４】
そして、レリーズ釦が全押されて撮影指示なされると、
（１）前記ステップＳ２０４でズーム処理、ＡＦ処理された現在のズームレンズユニット５５の焦点距離（ｆ）が所定以上であるか否か（ステップＳ２１３）
（２）マクロ撮影であるか否か（ステップＳ２１４）
（３）前記ステップＳ２１１で検出したブレ量が所定ブレ量以上であるか否か（ステップＳ２１５）
（４）前記ステップＳ２０８で得られた測光値が所定値未満であるか否か（ステップＳ２１６）
（５）測光値が所定値未満である場合においてストロボ強制ＯＦＦとなっているか否か（ステップＳ２１７）
（６）前記ステップＳ２０９で設定した露出条件に対応する露出時間が所定時間を超えるか否か（ステップＳ２１８）
（７）前記ステップＳ２１０で算出した被写体の移動角速度と、前記ステップＳ２１１で順次記録したブレ量とに基づき算出される被写体移動による像移動速度が所定速度以上であるか否か（ステップＳ２１９）
を判断する。
【００７５】
そして、これら判断（１）〜（７）の全てＮＯであった場合には、通常撮影を行う。すなわち、撮像素子２０の全画素の撮像信号電荷を順に読み出す通常読み出しモードで撮像素子２０を駆動する（ステップＳ２２０）。これと同時に、撮影条件に応じて露出／撮影動作を開始し（ステップＳ２２１）、このステップＳ２２１での処理により、シャッター５８が開いて撮像素子２０が露出状態となる。引き続き、シャッター速度に応じた露出時間が終了したか否かを判断し（ステップＳ２２２）、露出時間が終了となった時点でシャッター５８を閉じ露出／撮影動作を停止させる（ステップＳ２３３）。
【００７６】
また、前記（１）（２）（３）のいずれかがＹＥＳであった場合、つまり、焦点距離（ｆ）が所定以上であるか、マクロ撮影であるか、ブレ量が所定ブレ量以上である場合には、ブレ補正撮影を行う。
【００７７】
すなわち、撮像素子２０の全画素の撮像信号電荷を順に読み出す通常読み出しモードで撮像素子２０を駆動する（ステップＳ２２４）。また、両加速度センサ１６、１７により検出されている当該デジタルカメラ１の垂直方向及び水平方向のブレ量を検出して、データメモリ３３に順次記録する（ステップＳ２２５）。また、この検出したブレ量に応じて、前記回動式ミラー１８を回動することにより、撮影光軸を一定に保持するブレ補正処理を実行する（ステップＳ２２６）。またこれらの処理を伴いつつ、撮影条件に応じて露出／撮影動作を開始し（ステップＳ２２７）、このステップＳ２２７での処理により、シャッター５８が開いて撮像素子２０が露出状態となる。引き続き、シャッター速度に応じた露出時間が終了したか否かを判断する（ステップＳ２２８）。そして、露出時間が終了となるまでステップＳ２２４からの処理を繰り返し、露出時間が終了となった時点でシャッター５８を閉じ露出／撮影動作を停止させる（ステップＳ２２９）。
【００７８】
他方、前記（５）（６）（７）のいずれかがＹＥＳであった場合、つまり、ストロボ強制ＯＦＦとなっているか、露出時間が所定時間を超えるか、被写体移動による像移動速度が所定速度以上である場合には、加算読み出しによる増感撮影を行う。
【００７９】
すなわち、この加算読み出しによる増感撮影を行う際の加算倍率に応じて、前述のように露出時間を短くなるように再設定する（ステップＳ２３０）。次に、撮像素子２０の垂直方向及び水平方向の同色同士の画素の撮像信号電荷を加算して読み出す垂直＆水平加算読み出しモードに切り替えて、撮像素子２０を駆動する（ステップＳ２３２）。これと同時に、撮影条件に応じて露出／撮影動作を開始し（ステップＳ２３２）、このステップＳ２３２での処理により、シャッター５８が開いて撮像素子２０が露出状態となる。引き続き、前記ステップＳ２３０で再設定した露出時間が終了したか否かを判断し（ステップＳ２３３）、露出時間が終了となるまで、露出／撮影動作（ステップＳ２３２）を継続する。そして、ステップＳ２３３の判断がＹＥＳとなり、露出時間が終了となった時点でシャッター５８を閉じ露出／撮影動作を停止させる（ステップＳ２３４）。
【００８０】
したがって、従来の光学式手ブレ補正装置を備えたカメラでは、手ブレによる像ブレは軽減できても、被写体の動きによる像ブレ（動体ブレ）は防止できなかったが、この実施の形態によれば、手ブレが生じ易い場合には、「手ブレ補正モード」に自動的に切り替え、被写体の動きによる動体ブレが生じ易い場合には、画素加算により増感処理する「ブレ軽減モード」に自動的に切り替えるので、手ブレとともに動体ブレが生じ易い撮影でも、ブレ無く撮影することができる。
【００８１】
なお、本実施の形態においては、所定の撮影条件として、前記（１）〜（７）を判断し、（５）〜（７）の少なくとも一つがＹＥＳであった場合、画素加算読み出しを行うようにしたが、ホワイトバランスの設定状態、若しくは、色温度検出による自動ホワイトバランス制御の検出状態により、蛍光灯やタングステン電球による証明やそれら相当の色温度に設定されている場合など、暗い室内や電灯照明下の被写体と判断された場合にも、画素加算読み出しを行うようにしてもよい。
【００８２】
このような被写体の状態や撮影条件では、暗い被写体若しくは被写体の輝度が低くて、適正露出条件における露出時間（シャッター速度）が長く（遅く）なりやすいので、手ブレとともに被写体ブレも生じやすい。あるいは、露出時間に対して被写体の移動速度が速いため、被写体ブレが生じやすい。このような被写体の動きによる像ブレ（動体ブレ）が生じやすい撮影条件の場合にも、自動的にブレ軽減の為の増感撮影モードに切り替えることにより、画素加算読み出しによる増感処理によって、撮影感度を増感するとともに、手ブレだけでなく被写体ブレ（動体ブレ）による像ブレをも軽減して撮影することができる。
【００８３】
（第３の実施の形態）
【００８４】
図９は、本発明の第３の実施の形態における処理手順を示すフローチャートである。この実施の形態は、ブレ補正撮影モードで検出ブレ量が所定値より大きい場合には、画素加算読み出しによる増感撮影を行って露出時間を短く再設定して撮影を行うようにしたものである。
【００８５】
先ず、ユーザーによる操作部２３での操作により、ブレ撮影モードが設定されているか否かを判断する（ステップＳ３０１）。ブレ撮影モードが設定されていない場合には、その他のモード処理に移行する（ステップＳ３０２）。また、ブレ撮影モードが設定されている場合には、シャッター速度等の撮影条件を設定するとともに、ユーザーによる操作部２３での操作に応じて、画像サイズを選択する（ステップＳ３０３）。次に、ズーム処理、ＡＦ処理を実行し（ステップＳ３０４）、ドラフトモードで駆動して被写体像のスルー画像を表示部１４に表示させる（ステップＳ３０５）。したがって、ユーザはこの表示部１４に表示されたスルー画像を見ながら、このデジタルカメラ１の向きを調整する等してシャッターチャンスを伺う。
【００８６】
一方、制御部２５は、ユーザーによる操作部２３での操作により、レリーズ釦の半押し、又はＡＥロックがなされたか否かを判断し（ステップＳ３０６）、レリーズ釦の半押し、又はＡＥロックがなされない場合には、ユーザーにより操作部２３で操作されたキーに応じたその他のキー処理を実行する（ステップＳ３０７）。そして、レリーズ釦が半押しされ、又はＡＥロックがなされると、測光処理、ＷＢ処理を行って（ステップＳ３０８）、これにより得られた測光値と前記ステップＳ３０３で設定された撮影条件とに応じて、露出条件を設定する（ステップＳ３０９）。
【００８７】
引き続き、両加速度センサ１６、１７により検出されている当該デジタルカメラ１の垂直方向及び水平方向のブレ量を検出して、データメモリ３３に順次記録する（ステップＳ３１０）。また、レリーズ釦が全押されて撮影指示がなされたか否かを判断し（ステップＳ３１２）、撮影指示があるまでステップＳ３０６からの処理を繰り返す。
【００８８】
そして、レリーズ釦が全押されて撮影指示なされると、
（１）ステップＳ３１１で検出したブレ量が所定値以上であるか否か、
（２）前記ステップＳ３０９で設定した露出条件に対応する露出時間が所定時間以上であるか否か、
（３）その他の垂直＆水平加算読み出しモードを設定する所定の条件であるか否か
のいずれかを判断する（ステップＳ３１２）。
【００８９】
そして、このステップＳ３１２で行われたいずれかの判断（１）〜（３）がＮＯであった場合には、撮像素子２０の全画素の撮像信号電荷を順に読み出す通常読み出しモードで撮像素子２０を駆動する（ステップＳ３１３）。また、前記いずれかの（１）〜（３）がＹＥＳであった場合には、撮像素子２０の垂直方向及び水平方向の同色同士の画素の撮像信号電荷を加算して読み出す垂直＆水平加算読み出しモードに切り替えて、撮像素子２０を駆動する（ステップＳ３１４）。また、この加算読み出しによる増感撮影を行う際の加算倍率に応じて、前述のように露出時間を短くなるように再設定する（ステップＳ３１５）。
【００９０】
そして、ステップＳ３１３又はステップＳ３１５に続くステップＳ３１６では、両加速度センサ１６、１７により検出されている当該デジタルカメラ１の垂直方向及び水平方向のブレ量を検出して、データメモリ３３に順次記録する（ステップＳ３１６）。また、この検出したブレ量に応じて、前記回動式ミラー１８を回動することにより、撮影光軸を一定に保持するブレ補正処理を実行する（ステップＳ３１７）。またこれらの処理を伴いつつ、撮影条件に応じて露出／撮影動作を開始し（ステップＳ３１８）、このステップＳ３１８での処理により、シャッター５８が開いて撮像素子２０が露出状態となる。引き続き、シャッター速度に応じた露出時間が終了したか否かを判断する（ステップＳ３１９）。そして、露出時間が終了となるまでステップＳ２２４からの処理を繰り返し、露出時間が終了となった時点でシャッター５８を閉じ露出／撮影動作を停止させる（ステップＳ３２０）。
【００９１】
しかる後に、この撮影により取得した取得画像サイズが前記ステップＳ３０３で選択された画像サイズよりも小さいか否かを判断する（ステップＳ３２０）。そして、「取得画像サイズ＜設定画像サイズ」であって、取得画像サイズが設定画像サイズよりも小さい場合には、画素補間処理を実行する（ステップＳ３２７）。また、ステップＳ３２０の判断がＮＯである場合には、取得画像サイズが前記ステップＳ３０３で選択された画像サイズよりも大きいか否かを判断する（ステップＳ３２０）。そして、「取得画像サイズ＞設定画像サイズ」であって、取得画像サイズが設定画像サイズよりも大きい場合には、間引きあるいはリサイズ圧縮処理を実行する（ステップＳ３２１）。また、ステップＳ３２１とステップＳ３２３の判断が共にＮＯであって、「取得画像サイズ＝設定画像サイズ」である場合には、ステップＳ３２２及びステップＳ３２４の処理を行うことなく、ステップＳ３２５に進む。
【００９２】
そして、ステップＳ３２２、Ｓ３２３、Ｓ３２４のいずれかに続くステップＳ３３２５では、撮影画像を圧縮、符号化し、この圧縮、符号化した撮影画像を外部メモリ媒体３９に記録する（ステップＳ３３０）。さらに、撮影画像をレビュー表示する（ステップＳ３３１）。
【００９３】
したがって、本実施の形態によれば、手ブレ補正装置と画素加算読み出しモードとをともに設けて、手ブレを補正できる限界を超えるほど手ブレが大きい場合や、被写体ブレが生じ易い場合など、所定の条件の場合に、手ブレ補正動作も行いないながら画素加算読み出しで増感補正して、露出時間をより短縮し、手ブレや被写体ブレによる像ブレの撮影を効果的に軽減することができる。
【００９４】
なお、前述した第２の実施の形態においては、ステップＳ２１５で検出ブレ量を所定ブレ量と比較し、また、ステップＳ２１９で被写体移動による像移動速度を所定速度と比較するようにした。つまり、いずれも固定値である所定ブレ量や所定速度と比較するようにした。しかし、これらの値（所定ブレ量や所定速度）を可変制御して自動設定し、この自動設定された許容値や許容量に基づき判断を行うようにしてもよい。
【００９５】
図１０は、これらの許容値や許容量を算出する手順、より具体的には、許容像ブレ量（像変位量）、許容像ブレ速度（像移動速度）、許容ブレ量（角度）、許容ブレ角速度等の算出手順を示すフローチャートである。先ず、設定された印刷用紙のサイズ（対角Ｓ）、撮像サイズ（対角Ｙ）を読み込む（ステップＳ４０１）。次に、印刷された画像が当該用紙の対角相当距離から観察されるものであるか否かを判断する（ステップＳ４０２）。そうであるならば、下記例示次式を用いて、撮像サイズＹに応じて、許容ボケ量（許容錯乱円径）δを設定する（ステップＳ４０３）。
（例）許容ボケδ＝Ｙ×ｔａｎ（２′４０″）
【００９６】
また、ステップＳ４０２の判断がＮＯであって、一定の明視距離から観察されるものでるならば、下記例示次式を用いて、印刷用紙サイズＳと撮影サイズＹに応じて、許容ボケ量（許容錯乱円径）δを設定する（ステップＳ４０４）。
（例）許容ボケδ＝（Ｙ／Ｓ）×２５０［ｍｍ］ｔａｎ（２′４０″）
【００９７】
次に、設定露出時間（Ｔ）、レンズ焦点距離情報（ｆ）を読み込み（ステップＳ４０５）、下記例示次式を用い、許容ボケδと、レンズ焦点距離ｆ、設定露出時間Ｔ（秒）に応じて、許容像ブレ量、許容ブレ量（又は被写体の見かけの移動速度）、許容ブレ角速度（又は被写体の見かけの移動速度）を算出する（ステップＳ４０６）。
（例）
許容ブレ量（像変位量）＝δＢ≒δ、
許容像ブレ速度（像移動速度）ＶＢ＝δＢ／Ｔ≒δ／Ｔ、
許容ブレ量（角度）θＳ＝２×ｔａｎ−１（δＢ／２ｆ）、
許容ブレ角速度ωＳ＝θＳ／Ｔ
【００９８】
印刷用紙の種別又は印刷用紙のサイズ（寸法）を選択すると、プリンタ装置の印刷解像度（ｄｐｉ）や画像モニター装置の表示解像度などに応じて、必要な解像度が得られる画像サイズ（横×縦の画素数）を計算して決定できる。逆に、画像サイズを選択すると、例えば２００ｄｐｉや３００ｄｐｉ等、印刷装置の印刷解像度（ｄｐｉ）に応じて、十分な解像度となる印刷用紙サイズの限度などを計算して決定できる。
【００９９】
例えば、印刷用紙サイズから十分な画像サイズを算出するには、
（ａ）フチ無し印刷の場合には、
横（又は縦の）画像サイズ＝横（又は縦の）用紙寸法（ｍｍ）×印刷解像度（ｄｐｉ）÷２５．４（ｍｍ／ｉｎｃｈ）、あるいは、
（ｂ）上下左右にフチ（余白）付き印刷の場合には、
横（又は縦の）画像サイズ＝｛横（又は縦の）用紙寸法（ｍｍ）−２×余白寸法（ｍｍ｝×印刷解像度（ｄｐｉ）÷２５．４（ｍｍ／ｉｎｃｈ）、などで求めることができる。逆も同様である。
【０１００】
また、許容できる像ブレ量などは、例えば、許容ボケ（許容錯乱円径）の大きさを基準に算出することができる。３５ｍｍ判の銀塩フィルムでは、許容ボケは約０．０３３ｍｍなどが利用されるが、デジタルカメラのＣＣＤなど撮像素子の場合や、プリントサイズを変えた場合の許容ボケには、いくつかの考え方がある。一般に、肉眼で細かなものを見分けられる能力は角度にして１分（１′）程度とされるが、写真など連続して調子が変化している対象では、少し緩めの角度２〜３分（２′〜３′）程度とされ、これより小さいものはボケていることが分からず、シャープに見えると言われる。
１）これを基準に考えると、肉眼の明視距離２５ｃｍ離れた距離から写真や印画紙を観察するとき、０．１５〜０．２２ｍｍ（２５０ｍｍ×ｔａｎ（２′）〜２５０ｍｍ）×ｔａｎ（３′）程度のボケまでは人間の眼にはボケていると気付かないこととなる。
２）一方、写真はその大きさに応じて、例えば、用紙の対角寸法に相当する距離から眺めるのが自然だという考え方もある。これを基準に、対角が２７ｃｍと明視距離に近い八つ切り判の印画紙では、約０．２ｍｍのボケまでは許され、３５ｍｍ判から八つ切り判への引き伸ばし倍率は６倍であるからとして、００２÷６＝０．０３３ｍｍが、一般的な３５ｍｍ判（３６×２４ｍｍ）フィルムの許容ボケ（許容錯乱円径、Permissible Circle of Confusion）として採用されている。
【０１０１】
この２）の方法では、逆に、用紙サイズや引き伸ばし倍率に拘わらす、フィルムや撮像素子のサイズに相応して、所定の角度（２′〜３′）以内の許容錯乱円径であればよく、換算には便利であるが、印刷用紙や引き伸ばし倍率が大きい場合ほど、荒いピントやボケ、ブレでも許されることとなる。
【０１０２】
また、
１）印刷用紙によらず用紙サイズ（対角）に相当する距離だけ離れて観察するときの許容ボケが所定値（例えば、３５ｍｍに相当する角度＝０°０２′４０″）以下となるように設定する場合には、
画像面上の許容錯乱円径δ［ｍｍ］
＝｛画像サイズ対角（Ｙ）／印刷用紙サイズ対角（Ｓ）｝×印刷用紙サイズ対角Ｓ［ｍｍ］×ｔａｎ（２′４０″）、
＝画像サイズ対角（Ｙ）［ｍｍ］×ｔａｎ（２′４０″）として算出して、許容ブレを設定できる。
２）また、どの用紙サイズの場合も、一定の明視距離（約２５ｃｍ）から観察する場合には、撮像面上の許容錯乱円径δ［ｍｍ］
＝｛画像サイズ対角（Ｙ）／印刷用紙サイズ対角（Ｓ）｝×明視距離（２５０ｍｍ）×ｔａｎ（２′４０″）、
として算出して、これを基準に許容ブレを設定できる。
３）あるいは、許容錯乱円径δ［ｍｍ］をユーザーが所望かつ任意の値に設定してもよい。
【０１０３】
また、許容できる像ブレ量δＢは前記の許容錯乱円径δに略等しいとすると、許容できる移動速度ＶＢ、許容ブレ量（又は被写体の見かけ上の移動角度）θＳ、及び、露出時間Ｔにおける許容ブレ角速度（又は被写体の見かけ上の移動角速度）ωＳは、前記で算出された撮像面上の許容ボケ（許容錯乱円径）δ［ｍｍ］と、撮影レンズ焦点距離ｆ［ｍｍ］、設定露出時間Ｔ［秒］とから、
許容ブレ量（像の変位量）δＢ≒δ、
許容像移動速度ＶＢ＝δＢ／Ｔ≒δ／Ｔ、
許容ブレ量（又は被写体の見かけ上の移動角度）θＳ＝２×ｔａｎ−１（δＢ／２ｆ）、
許容ブレ角速度（又は被写体の見かけ上の移動角速度）ωＳ＝θＳ／Ｔ、
などと算出して設定することができる。
【０１０４】
あるいは、マクロ撮影などで、被写体距離Ｌが分かる場合には、被写体範囲Ｘ＝画像サイズＹ×Ｌ／ｆとなるので、
被写体ブレ又はカメラブレの許容変位ＸＢ＝許容像ブレ量δＢ×Ｌ／ｆ、
許容できる被写体の移動速度ＶＢ＝ＸＢ／Ｔ≒δＢ×Ｌ／（ｆ×Ｔ）、
等として算出できる。
【０１０５】
これらを、前記実施の形態における印刷用紙に応じた所定のブレ量若しくは像ブレ量として設定して、画素加算読み出しによるブレ軽減撮影・増感撮影モードへの切替条件の判断を行えばよい。
【０１０６】
しかして、本例では、ユーザー所望の印刷用紙サイズ又は画像サイズに応じて、許容像ブレ量や許容ブレ量などを設定して、それに応じて、画素加算読み出しによるブレ軽減撮影モードへの切替条件を設定するので、観賞時のサイズに合わせてブレの目立たない必要十分なブレ軽減撮影が行えるので、補間処理などによる画質劣化なども最小限に抑えることができる。
【０１０７】
また、実施の形態においては、第１のブレ補正手段として光学式手ブレ補正装置を用いるようにしたが、電子式手ブレ補正装置を第１のブレ補正手段として用いるようにしてもよい。また実施の形態においては、静止画を撮影するカメラに本発明を適用するようにしたが、動画を撮影するカメラに本発明を適用するようにしてもよい。
【図面の簡単な説明】
【０１０８】
【図１】本発明の各実施の形態に共通するデジタルカメラ概略的回路構成を示すブロック図である。
【図２】同デジタルカメラの具体的回路構成を示すブロック図である。
【図３】第１の実施の形態における処理手順を示すフローチャートである。
【図４】同実施の形態の表示例を図である。
【図５】ＣＣＤの各種読み出しモードと、垂直＆水平画素加算読み出しモードのおける動作を示す図である。
【図６】水平画素加算読み出し走査時におけるＣＣＤ駆動信号を示すタイミングチャートである。
【図７】水平画素加算読み出し走査時におけるＣＣＤの動作例を示す図である。
【図８】本発明の第２の実施の形態における処理手順を示すフローチャートである。
【図９】本発明の第３の実施の形態における処理手順を示すフローチャートである。
【図１０】許容ブレ量の算出手順を示すフローチャートである。
【符号の説明】
【０１０９】
１    デジタルカメラ
１４    表示部
１６    第１加速度センサ
１７    第２角速度センサ
１９    レンズ群
２０    撮像素子
２３    操作部
２４    入力回路
２５    制御部
２６    表示メモリ
２７    表示駆動ブロック
２８    画像バッファメモリ
２９    画像信号処理部
３０    圧縮符号化／伸長復号化部
３１    静止画／動画画像メモリ
３２    プログラムメモリ
３３    データメモリ
３８    撮影制御部
３９    外部メモリ媒体
５５    ズームレンズユニット
５６    駆動機構
５７    絞り
５８    シャッター
６１    フォーカスレンズ駆動部
６２    ズームレンズ駆動部
６４    シャッター駆動部
６５    映像信号処理部
６６    ドライバ
【図１】
2007013272.tif 000003
【図２】
2007013272.tif 000004
【図３】
2007013272.tif 000005
【図４】
2007013272.tif 000006
【図５】
2007013272.tif 000007
【図６】
2007013272.tif 000008
【図７】
2007013272.tif 000009
【図８】
2007013272.tif 000010
【図９】
2007013272.tif 000011
【図１０】
2007013272.tif 000012